(57)【要約】【課題】上下方向に並ぶ給紙口２２２ｆと排紙口２２２ｇとを有する本体ケース２２２と、本体ケース２２２内に設けられ、給紙口２２２ｆから給紙された原稿を排紙口２２２ｇへと導く搬送機構２２４ａ〜２２２ｆとを備えた原稿給紙装置２２１において、剛性の高い原稿や長尺の原稿を使用した場合でも紙詰まりを生じずに確実に給紙動作を実行する。【解決手段】本体ケース２２２は、排紙口２２２ｇとは別の別排紙口２２２ｈが形成された着脱式のケース部２２２ｂを有し、上記本体ケース２２２内には、給紙口２２２ｆから該給紙口２２２ｆの下側に位置する上記排紙口２２２ｇに至る略Ｕ字状の第１原稿搬送路２２５ａと、上記給紙口２２２ｆから別排紙口２２２ｈに至る略直線状の第２原稿搬送路２２５ｂとが形成されており、原稿の搬送路を、第１原稿搬送路２２５ａと第２原稿搬送路２２５ｂとのいずれか一方に切替えるための切替え部材２３０をさらに有している。【選択図】図２
2015196593.tif 000002
【特許請求の範囲】
【請求項１】
上下方向に並ぶ給紙口と排紙口とを有する本体ケースと、該本体ケース内に設けられ、上記給紙口から給紙された原稿を上記排紙口へと導く搬送機構とを備えた、原稿給紙装置であって、
上記本体ケースは、上記排紙口とは別の別排紙口が形成された着脱式のケース部を有し、
上記本体ケース内には、上記給紙口から該給紙口の下側に位置する上記排紙口に至る略Ｕ字状の第１原稿搬送路と、上記給紙口から上記別排紙口に至る略直線状の第２原稿搬送路とが形成されており、
上記原稿の搬送路を、上記第１原稿搬送路と第２原稿搬送路とのいずれか一方に切替えるための切替え部材をさらに有している、原稿給紙装置。
【請求項２】
請求項１記載の原稿給紙装置おいて、
上記切替え部材は、上記ケース部に設けられている、原稿給紙装置。
【請求項３】
請求項２記載の原稿給紙装置において、
上記ケース部に形成された別排紙口は、着脱式の排紙トレイが接続可能に構成されている、原稿給紙装置。
【請求項４】
請求項１乃至３のいずれか一項に記載の原稿給紙装置を備えた画像形成装置。
【発明の詳細な説明】
【技術分野】
【０００１】
本発明は、原稿給紙装置及び該原稿給紙装置を備えた画像形成装置に関する。
【背景技術】
【０００２】
従来より、例えば複写機等の画像形成装置に設けられる原稿給紙装置は知られている（例えば、特許文献１参照）。この原稿給紙装置は、内部に搬送機構を収容する本体ケースを備えている。本体ケースの一側面には、上下方向に並ぶ給紙口及び排紙口が形成されている。本体ケース内には、給紙口から排紙口に至る略Ｕ字状の搬送路が形成されている。給紙口の側方及び排紙口の側方にはそれぞれ、給紙トレイ及び排紙トレイが設けられている。給紙トレイにセットされた原稿は、搬送機構によって給紙口から本体ケース内の搬送路に送り出された後、排出口を通って排紙トレイに排出される。上記搬送路の途中には、画像読取位置が設定されている。そして、原稿がこの画像読取位置を通過する際に、読取り手段によって当該原稿の画像が取得される。上記画像形成装置は、読取り手段により取得した原稿画像を、例えばインクジェット方式や電子写真方式によって用紙に印刷する。
【先行技術文献】
【特許文献】
【０００３】
【特許文献１】特開２００６−５６６８４号公報
【発明の概要】
【発明が解決しようとする課題】
【０００４】
しかしながら、従来の原稿給紙装置では、厚紙原稿などの剛性の高い原稿を使用した場合に、原稿がＵ字状の搬送路に沿って上手く曲がらず、紙詰まりが生じ易いという問題がある。また、長尺の原稿を使用した場合には、原稿の先端縁が搬送方向の直交方向に対して少しでも傾いていると、原稿が搬送路上でＵターンする際にこの傾きが大きくなり、紙詰まりが発生するという問題がある。
【０００５】
本発明は、かかる点に鑑みてなされたものであり、その目的とするところは、剛性の高い原稿や長尺の原稿を使用した場合でも、紙詰まりを生じずに確実に給紙動作を実行可能な原稿給紙装置、及び該原稿給紙装置を備えた画像形成装置を提供しようとすることにある。
【課題を解決するための手段】
【０００６】
本発明に係る原稿給紙装置は、上下方向に並ぶ給紙口と排紙口とを有する本体ケースと、該本体ケース内に設けられ、上記給紙口から給紙された原稿を上記排紙口へと導く搬送機構とを備えている。そして、上記本体ケースは、上記排紙口とは別の別排紙口が形成されたケース部を有し、上記本体ケース内には、上記給紙口から該給紙口の下側に位置する上記排紙口に至る略Ｕ字状の第１原稿搬送路と、上記給紙口から上記別排紙口に至る略直線状の第２原稿搬送路とが形成されており、上記原稿の搬送路を、上記第１原稿搬送路と第２原稿搬送路とのいずれか一方に切替えるための切替え部材をさらに有している。
【０００７】
この構成によれば、通常の原稿に比べて長尺の長尺原稿や、通常の原稿に比べて剛性が高い厚紙原稿等を使用する場合には、切替え部材により、原稿の搬送路を略Ｕ字状の第１原稿搬送路から略直線状の第２原稿搬送路に切替えることで、原稿をＵ字状に湾曲させずに給紙動作を行うことができる。よって、搬送路内の紙詰まりを確実に抑制することができる。
【０００８】
また、上記ケース部は着脱式とされているので、長尺原稿や厚紙原稿等を使用しないユーザーは、別排紙口を有する上記ケース部に替えて、別排紙口を有さないケース部を装着すればよい。これにより、ユーザーが使用する原稿の種類に応じて、原稿搬送路の構成をフレキシブルに変更することができる。また、第１原稿搬送路を形成するための部品（例えば、搬送ローラーや原稿ガイド部材）については、別排紙口を有する場合と別排紙口を有さない場合とで共通化することができるので、低コスト化を図ることができる。
【０００９】
上記切替え部材は、上記ケース部に設けられていることが好ましい。
【００１０】
この構成によれば、別排紙口を有する着脱式のケース部に上記切替え部材を設けるようにしたことで、長尺原稿や厚紙原稿を使用しないユーザー向けの原稿給紙装置に対して切替え部材を不必要に設けなくて済む。延いては、装置全体の低コスト化を図ることができる。
【００１１】
上記ケース部に形成された別排紙口には、着脱式の排紙トレイが接続可能に構成されていることが好ましい。
【００１２】
この構成によれば、別排紙口から排紙される原稿を排紙トレイで受け止めることができる。また、この排紙トレイは着脱式であるため、必要に応じて排紙トレイを取外すことができる。よって、上記構成は、壁際など設置スペースが限られた場所で特に有用である。  
【００１３】
本発明に係る画像形成装置は、上記原稿給紙装置を備えていることが好ましい。
【発明の効果】
【００１４】
本発明によれば、剛性の高い原稿や長尺の原稿を使用した場合でも、紙詰まりを生じずに確実に給紙動作を実行可能な原稿給紙装置、及び該原稿給紙装置を備えた画像形成装置が提供される。
【図面の簡単な説明】
【００１５】
【図１】図１は、実施形態における原稿給紙装置を備えた画像形成装置を示す概略の断面図である。
【図２】図２は、通常給紙用カバーを備えた原稿給紙装置を示す斜視図である。
【図３】図３は、通常給紙カバー用を装着した原稿給紙装置を示す概略の縦断面図である。
【図４】図４は、オプション給紙用カバーを備えた原稿給紙装置を示す斜視図である。
【図５】図５は、オプション給紙用カバーを備えた原稿給紙装置における通常原稿の給紙状態を示す概略の縦断面図である。
【図６】図６は、オプション給紙用カバーを備えた原稿給紙装置における特殊原稿の給紙状態を示す概略の縦断面図である。
【図７】図７は、フラッパーが第１位置にある場合における操作レバーの位置を示す斜視図である。
【図８】図８は、フラッパーが第２位置にある場合における操作レバーの位置を示す斜視図である。
【図９】図９は、フラッパーが第１位置にある場合におけるフラッパー周辺のカット断面である。
【図１０】図１０は、フラッパーが第２に位置にある場合におけるフラッパー周辺のカット断面である。
【発明を実施するための形態】
【００１６】
《実施形態１》
図１は、本実施形態における原稿給紙装置２２１を備えた画像形成装置１を示している。この画像形成装置１は、電子写真方式を利用したレーザープリンターである。この画像形成装置１は、画像形成装置本体１００と、画像形成装置本体１００の上部に取り付けられた上記画像読取装置２００と、ユーザーが操作可能な操作パネル３００と、を備えている。尚、以下の説明において、前側、後側はそれぞれ、画像形成装置１の前側（操作パネル３００が位置する側）、後側を意味し、左側、右側は、画像形成装置１を前側から見て左側、右側を意味する。
【００１７】
画像形成装置本体１００は箱状の筐体６０を有している。筐体６０の上部には画像読取装置２００が設けられている。上記筐体６０内には、給紙部１０、画像形成部２０、定着部４０が収容されている。給紙部１０から排紙トレイ部５０に至る用紙搬送路Ｌには、用紙Ｐを挟持して搬送する複数の搬送ローラー対１１〜１３が配置されている。また、用紙搬送路Ｌの下流側から分岐して上流側に合流する反転搬送路Ｌ´が設けられている。反転搬送路Ｌ´には搬送ローラー対１４〜１６が配置されている。
【００１８】
上記給紙部１０は、筐体６０内の下部に配置されている。給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。画像形成部２０では、ブラック、マゼンタ、シアンおよびイエローの各色にそれぞれ対応するトナー画像を形成する作像ユニット２０Ｂｋ、２０Ｍ、２０Ｃ、２０Ｙが一列に配置されている。各作像ユニット２０Ｂｋ、２０Ｍ、２０Ｃ、２０Ｙは、感光体ドラム２１、帯電装置２２、現像装置２３およびクリーニング装置２４を備えている。作像ユニット２０Ｂｋ、２０Ｍ、２０Ｃ、２０Ｙの下方には、各感光体ドラム２１の表面にレーザー光を照射する露光装置２５が配置されている。また、作像ユニット２０Ｂｋ、２０Ｍ、２０Ｃ、２０Ｙの上方には、中間転写ユニット２６が配置されている。中間転写ユニット２６には、各感光体ドラム２１に接して走行する中間転写ベルト２７が設けられている。中間転写ベルト２７の内側には感光体ドラム２１との間で中間転写ベルト２７を挟み込むように、一次転写ローラー２８が設けられている。また、作像ユニット２０Ｂｋの下流側には、中間転写ベルト２７の表面に接触するように二次転写ローラー２９が設けられている。中間転写ユニット２６の上方には、トナーコンテナ３０Ｂｋ、３０Ｍ、３０Ｃ、３０Ｙが配置されている。トナーコンテナ３０Ｂｋ、３０Ｍ、３０Ｃ、３０Ｙには、作像ユニット２０Ｂｋ、２０Ｍ、２０Ｃ、２０Ｙの各現像装置２３に補給される各色のトナーが収納されている。
【００１９】
画像形成部２０では、露光装置２５によって各感光体ドラム２１の表面に所定の画像データ（例えば、画像読取装置２００により読み込んだ原稿画像データ）に基づくレーザー光を照射することで静電潜像を形成する。画像形成部２０は、この形成した静電潜像を現像装置２３によって現像することで各色のトナー像を形成する。各感光体ドラム２１の表面に形成された各色のトナー像は、一次転写ローラー２８によって中間転写ベルト２７の表面に転写されて重ね合わせられる。そして、中間転写ベルト２７上に転写されたトナー像は二次転写ローラー２９によって、給紙部１０より供給された用紙Ｐに対して転写される。該転写後の用紙Ｐは定着部４０に供給される。定着部４０では、画像形成部２０より供給される用紙Ｐを定着ローラー４０ａ及び加圧ローラー４０ｂ間で加圧することにより、当該用紙Ｐにトナー像を定着させる。そして、定着部４０にてトナー像が定着された用紙Ｐは、両ローラー４０ａ，４０ｂにより下流側へと送り出される。定着部４０より送り出された用紙Ｐは、搬送ローラー対１３を介して上記排紙トレイ部５０に排出される。また、用紙Ｐの両面にトナー像を形成する場合には、搬送ローラー対１３によって用紙Ｐはスイッチバックされて、反転搬送路Ｌ´に搬送される。  
【００２０】
上記画像読取装置２００は、略直方体状のケース体２５０を有している。ケース体２５０の上面が原稿載置面２５０ａを形成している。上記ケース体２５０の内部にはスキャナ部２１０（図３参照）が収容されている。スキャナ部２１０は、原稿載置面２５０ａに載置された原稿画像を光学的に読取ってその画像データを生成する。スキャナ部２１０は、例えば、反射ミラー、ＣＣＤセンサー等により構成されている。上記原稿載置面２５０ａは、原稿押さえカバー２４０により開閉可能に覆われている。原稿押さえカバー２４０は、不図示のヒンジ機構を介してケース体２５０に回動可能に取付けられている。原稿押さえカバー２４０の上面側には原稿給紙装置２２１が設けられている。
【００２１】
図２に示すように、上記原稿給紙装置２２１は、本体ケース２２２を有している。本体ケース２２２は、原稿押さえカバー２４０の上面側の左側端部に設けられている。本体ケース２２２は、前後方向において対向する一対の側壁部２２２ｅと、上部カバー２２２ｋとを有している。本体ケース２２２の下面は原稿押さえカバー２４０の上面により構成されている。上記一対の側壁部２２２ｅは、原稿押さえカバー２４０の上面に固定されている。一方、上部カバー２２２ｋは、原稿押さえカバー２４０及び側壁部２２２ｅに対して着脱可能に構成されている。本実施形態では、上部カバー２２２ｋとして通常給紙用カバー２２２ａとオプション給紙用カバー２２２ｂとの２種類が用意されている（図２は通常給紙用カバー２２２ｂを装着した状態を示している）。通常給紙用カバー２２２ａは、例えばＡ４サイズ以下の普通紙からなる原稿（以下、通常原稿と呼ぶ）を給紙する際に使用される。オプション給紙用カバー２２２ｂは、例えば特殊原稿を給紙する際に使用される。特殊原稿としては、例えば、Ａ４サイズの原稿よりも搬送方向長さが長い長尺原稿や、普通紙よりも剛性が高い厚紙原稿等が挙げられる。
【００２２】
図３は、通常給紙用カバー２２２ａを装着した原稿給紙装置２２１の縦断面図である。同図に示すように、本体ケース２２２の右側面には、上下方向に並ぶ給紙口２２２ｆ及び排紙口２２２ｇが形成されている。給紙口２２２ｆ及び排紙口２２２ｇの右側にはそれぞれ、給紙トレイ２２３及び排紙トレイ２２８が設けられている。本体ケース２２２内には、給紙口２２２ｆから排紙口２２２ｇに至る略Ｕ字状の第１原稿搬送路２２５ａが形成されている。本体ケース２２２内には、この搬送路２２５ａに沿って上流側から下流側に向かって順に、送出しローラー２２４ａ、給紙ローラー２２４ｂ、搬送ローラー対２２４ｃ，２２４ｄ，２２４ｅ及び排紙ローラー対２２４ｆが設けられている。
【００２３】
送出しローラー２２４ａと給紙ローラー２２４ｂとは  ブラケット２３１を介して連結されている。ブラケット２３１の左側端部は、給紙ローラー２２４ｂの支持シャフト２３２に対して回動可能に取付けられている。ブラケット２３１の右側端部には、送出しローラー２２４ａが回動可能に取付けられている。給紙動作時には、ブラケット部２３１が支持シャフト２３２回りに図の時計回り方向に回動することで、送出しローラー２２４ａが原稿の上面に当接するようになっている。
【００２４】
上記搬送ローラー対２２４ｃ〜２２４ｅ及び排紙ローラー対２２４ｆ対はそれぞれ、第１原稿搬送路２２５ａの内側に位置する駆動ローラーと、第１原稿搬送路２２５ａの外側に位置する従動ローラーとで構成されている。各ローラー対２２４ｃ〜２２４ｆと、送出しローラー２２４ａと、上記給紙ローラー２２４ｂとは、通常給紙用カバー２２２ａに取付けられてユニット化されている。
【００２５】
上記原稿給紙装置２２１の給紙動作が開始すると、給紙トレイ２２３に載置された通常原稿が、送出しローラー２２４ａ及び給紙ローラー２２４ｂによって第１原稿搬送路２２５ａに供給された後、搬送ローラー対２２４ｃ〜２２４ｅを経由して排紙ローラー対２２４ｅによって排紙トレイ２２８に排出される（図３の太矢印参照）。第１原稿搬送路２２５ａの途中には、第１画像読取位置２２６及び第２画像読取位置２２７が設定されている。第１画像読取位置２２６では、コンタクトイメージセンサー（ＣＩＳ）２１１により原稿の裏面の画像が読取られる。第２画像読取位置２２７では、スキャナ部２１０により原稿の表面の画像が読取られる。
【００２６】
このように給紙動作時には、原稿が給紙口２２２ｆから第１原稿搬送路２２５ａ内に導入された後、Ｕターンして排紙口２２２ｇに到達する。このため、原稿が特殊原稿（長尺原稿や厚紙等の高剛性の原稿）である場合には、原稿がＵターンの際に第１原稿搬送路２２５ａに沿って上手く曲がらず紙詰まりが生じる虞がある。この問題を解決するべく、本実施形態では、通常給紙用カバー２２２ａに替えてオプション給紙用カバー２２２ｂを装着可能になっている。
【００２７】
オプション給紙用カバー２２２ｂは、排紙口２２２ｈとは別の別排紙口２２２ｇを有する点で通常給紙用カバー２２２ａとは異なる。別排紙口２２２ｇは、オプション給紙用カバー２２２ｂの左側端部に形成されている。別排紙口２２２ｈは、前後方向に延びる矩形状に形成されている。別排紙口２２２ｈには、排紙トレイ２２９を接続可能になっている。排紙トレイ２２９は、前後一対の係合突部２２９ａを有している。オプション給紙用カバー２２２ｂにおける別排紙口２２２ｈの両端部付近にはそれぞれ、係合孔２２２ｊが形成されている。そして、排紙トレイ２２９の係合突部２２９ａを、オプション給紙用カバー２２２ｂの係合孔２２２ｊに係合させることにより、排紙トレイ２２２が別排紙口２２２ｈに接続されるようになっている。
【００２８】
図５及び図６は、オプション給紙用カバー２２２ｂを装着した原稿給紙装置２２１の縦断面図である。オプション給紙用カバー２２２ｂ内には、給紙口２２２ｆから排紙口２２２ｇに至る第１原稿搬送路２２５ａ（図５参照）に加えて、給紙口２２２ｆから別排紙口２２２ｇに至る第２原稿搬送路２２５ｂ（図６参照）が設けられている。第２原稿搬送路２２５ｂは、前後方向から見て（原稿搬送方向に直交する方向から見て）左右方向に延びる略直線状をなしている。第１及び第２原稿搬送路２２５ａ，２２５ｂの上流側部分（給紙口２２２ｆから搬送ローラー対２２４ｄに至るまでの部分）は共通している。第１原稿搬送路２２５ａと第２原稿搬送路２２５ｂとの分岐部（搬送ローラ対２２２４ｄの下流側近傍）には、切替え部材としてのフラッパー２３０が設けられている。フラッパー２３０は、原稿の搬送路を第１原稿搬送路２２５ａとする第１位置（図５に示すフラッパー２３０の位置）と、原稿の搬送路を第２原稿搬送路２２５ｂとする第２位置（図６に示すフラッパー２３０の位置）とを有している。すなわち、フラッパー２３０は、原稿の搬送路を第１原稿搬送路２２５ａと第２原稿搬送路２２５ｂとのいずれか一方に切替える機能を有している。
【００２９】
具体的には、フラッパー２３０は、前後方向に延びる支持シャフト２３２の一端に回転一体に固定されている。この支持シャフト２３２は不図示の軸受孔に回転可能に挿通されている。支持シャフト２３２の他端には、手動式の操作レバー２３３が固定されている。この操作レバー２３３は、オプション給紙用カバー２２２ｂを貫通してその外側に突出している（図７〜図１０参照）。そして、操作レバー２３３を左右に操作することで、フラッパー２３０を支持シャフト２３２の軸心回りに回動させて第１位置と第２位置とのいずれかに切替え可能になっている。図７及び図９は、操作レバー２３３を左側に操作してフラッパー２３０を第１位置とした場合を示し、図８及び図１０は、操作レバー２３３を右側に操作してフラッパー２３０を第２位置とした場合を示している。
【００３０】
したがって、上記実施形態の原稿給紙装置２２１によれば、例えば、長尺原稿や厚紙原稿等の特殊原稿を使用する場合には、図８に示すように、操作レバー２３３を右側に押してフラッパー２３０の位置を第２位置（図６及び図１０参照）に設定することで、原稿を略直線状の第２原稿搬送路２２５ｂに沿って搬送することができる。これにより、長尺原稿や厚紙原稿のようにＵターン時に紙詰まりを生じ易い原稿については、原稿をＵターンさせることなく給紙動作を行うことができるので、Ｕ字状の第１原稿搬送路２２５ａのみを備えた従来の原稿給紙装置に比べて紙詰まりの発生頻度を低減することができる。
【００３１】
また、オプション給紙用カバー２２２ｂは着脱式であるため、長尺原稿や厚紙原稿等を使用しないユーザーは、別排紙口２２２ｈを有するオプション給紙用カバー２２２ｂに替えて、別排紙口２２２ｈを有さない通常給紙用カバー２２２ｂを装着するようにすればよい。これにより、ユーザーが使用する原稿の種類に応じて（普通紙等の通常原稿であるか又は特殊原稿であるかに応じて）、原稿搬送路の構成をフレキシブルに変更することができる。また、ローラー対２２４ｃ〜２２４ｅの駆動ローラー（第１原稿搬送路２２５ａの内側に位置する駆動ローラー）及び排紙ローラー対２２４ｆなど、第１原稿搬送路２２５ａを形成する一部の部品については、オプション給紙用カバー２２２ｂを装着した場合と通常給紙用カバー２２２ａを装着した場合とで共通化することができる。よって、装置全体の低コスト化を図ることができる。
【００３２】
また、上記実施形態では、別排紙口２２２ｈを有するオプション給紙用カバー２２２ｂにフラッパー２３０を設けるようにしたことで、長尺原稿や厚紙原稿を使用しないユーザー向けの原稿給紙装置２２１に対してフラッパー２３０を不必要に設けなくて済む。延いては、低コスト化を図ることができる。
【００３３】
また、上記実施形態では、オプション給紙用カバー２２２ｂに形成された別排紙口２２５ｈには、着脱式の排紙トレイ２２９が接続可能に構成されている。これにより、別排紙口２２５ｈから排紙される原稿を排紙トレイ２２９で受け止めることができる。また、この排紙トレイ２２９は着脱式であるため、必要に応じて排紙トレイ２２９を取外すことができる。よって、壁際などスペース的に制限された場所での装置設置性を向上させることができる。  
【００３４】
《他の実施形態》
上記実施形態では、原稿給紙装置２２１を電子写真方式のプリンターに適用した例を示した、これに限ったものではなく、例えば、複写機や複合機に適用するようにしてもよい。
【産業上の利用可能性】
【００３５】
以上説明したように、本発明は、原稿給紙装置及び該原稿給紙装置を備えた画像形成装置に有用であり、特に、略Ｕ字状の原稿搬送路を有する場合に有用である。
【符号の説明】
【００３６】
１        画像形成装置
１０      給紙部
２２１    原稿給紙装置
２２２    本体ケース
２２２ｂ  オプション給紙カバー（ケース部）  
２２２ｆ  給紙口
２２２ｇ  排紙口
２２２ｈ  別排紙口
２２４ａ  送出しローラー（搬送機構）
２２４ｂ  給紙ローラー（搬送機構）
２２４ｃ  搬送ローラー対（搬送機構）
２２４ｄ  搬送ローラー対（搬送機構）
２２４ｅ  搬送ローラー対（搬送機構）
２２４ｆ  排紙ローラー対（搬送機構）
２２５ａ  第１原稿搬送路
２２５ｂ  第２原稿搬送路
２３０    フラッパー（切替え部材）
【図１】
2015196593.tif 000003
【図２】
2015196593.tif 000004
【図３】
2015196593.tif 000005
【図４】
2015196593.tif 000006
【図５】
2015196593.tif 000007
【図６】
2015196593.tif 000008
【図７】
2015196593.tif 000009
【図８】
2015196593.tif 000010
【図９】
2015196593.tif 000011
【図１０】
2015196593.tif 000012